(57)【要約】【課題】ディスク装着部を覆って透明窓を有するドアが開閉可能に配備されているディスク再生装置において、暗所においてもドアの開閉状態を容易に認識することが出来るディスク再生装置を提供する。【解決手段】本発明に係るディスク再生装置は、ドア２の開閉状態を検知するドア開スイッチ４５及びドア閉スイッチ４６と、ディスク１０の表面に向かって光を発する第１発光ダイオード５と、ディスク１０の外周縁に沿って配置されて光を発する第２発光ダイオード６とを具え、ドア開スイッチ４５及びドア閉スイッチ４６からの検知信号に基づいて第１発光ダイオード５及び第２発光ダイオード６の点灯を制御して、ドアが閉じた状態では第１発光ダイオード５を点灯させ、ドアが開いた状態では第２発光ダイオード６を点灯させる。【選択図】      図１
2004355769.tif 000002
【特許請求の範囲】
【請求項１】
ディスク装着部を覆って透明窓を有するドアが開閉可能に配備されているディスク再生装置において、ドアの開閉状態を検知する検知手段と、ディスク装着部に装着されたディスクの表面に向かって光を発する第１発光器と、ディスク装着部に装着されたディスクの外周縁に沿って配置されて光を発する第２発光器と、前記検知手段からの検知信号に基づいて第１発光器及び第２発光器の点灯を制御する制御手段とを具え、該制御手段は、ドアが閉じた状態で第１発光器を点灯させ、ドアが開いた状態で第２発光器を点灯させることを特徴とするディスク再生装置。
【請求項２】
ディスク装着部はキャビネットの前面に設けられ、ドアは、該キャビネットの前面に水平方向の往復移動が可能に支持され、ディスク装着部を覆う閉じ位置とディスク装着部を露出させる開き位置との間を往復移動する請求項１に記載のディスク再生装置。
【請求項３】
第１発光器は、ディスク装着部に向かって拡大する透明導光部材（７）の基端部に発光ダイオード（５）を配備して構成されている請求項１又は請求項２に記載のディスク再生装置。
【請求項４】
第２発光器は、ディスク装着部に装着されたディスクの外周縁に沿って伸びる円弧状の半透明発光部材（８）の背面側に発光ダイオード（６）を配備して構成されている請求項１乃至請求項３の何れかに記載のディスク再生装置。
【請求項５】
第１発光器と第２発光器は互いに異なる発光色を有している請求項１乃至請求項４の何れかに記載のディスク再生装置。
【発明の詳細な説明】
【０００１】
【発明の属する技術分野】
本発明は、ディスクに記録されている信号を再生するためのディスク再生装置に関し、更に具体的には、ディスク装着部を開閉すべき前面ドアや上蓋（以下、ドアと総称する）を具えたディスク再生装置に関するものである。
【０００２】
【従来の技術】
従来、ディスク再生装置においては、ディスクを回転させるためのターンテーブルが配備されているディスク装着部を覆って、ドアが開閉可能に配備され、該ドアはドアモータによって開閉駆動することが可能となっており、ユーザは、キー操作によってドアを自動的に開閉させることが出来る（特許文献１参照）。
【０００３】
【特許文献１】
特開２００３−７０４３号公報［Ｇ１１Ｂ３３／０２］
【０００４】
【発明が解決しようとする課題】
ところで、従来のドアを具えたディスク再生装置においては、例えば部屋の照明を落とした暗所でのディスクの装着を容易とするために、ディスク装着部を照明するための照明装置が配備されているが、該照明装置は、ドア内を照明することは出来ても、ドア自体を表面から照明することが出来ないため、ドアの開閉状態が判然とせず、場合によっては、ドアが閉じている状態でディスクを装着せんとして、ディスクを傷付けてしまう問題があった。
【０００５】
そこで本発明の目的は、暗所においてもドアの開閉状態を容易に認識することが出来るディスク再生装置を提供することである。
【０００６】
【課題を解決する為の手段】
本発明に係るディスク再生装置は、ドアの開閉状態を検知する検知手段と、ディスク装着部に装着されたディスクの表面に向かって光を発する第１発光器と、ディスク装着部に装着されたディスクの外周縁に沿って配置されて光を発する第２発光器と、前記検知手段からの検知信号に基づいて第１発光器及び第２発光器の点灯を制御する制御手段とを具え、該制御手段は、ドアが閉じた状態で第１発光器を点灯させ、ドアが開いた状態で第２発光器を点灯させるものである。
【０００７】
例えば、ディスク装着部はキャビネットの前面に設けられ、ドアは、該キャビネットの前面に水平方向の往復移動が可能に支持され、ディスク装着部を覆う閉じ位置とディスク装着部を露出させる開き位置との間を往復移動する。
【０００８】
上記本発明のディスク再生装置においては、ドアを閉じると、第２発光器が消灯すると共に第１発光器が点灯して、該第１発光器によって、ディスク装着部、或いはディスク装着部に装着されているディスクの表面が照明される。従って、ディスク装着部にディスクが装着されているときは、ディスクの表面が照明されて、ドアの透明窓からディスクの存在が明らかとなる。
これに対し、ドアを開くと、第１発光器が消灯すると共に第２発光器が点灯して、その近傍領域に光を発する。従って、ディスク装着部にディスクを装着するときは、第２発光器を目印としてディスクの位置を決めればよい。
【０００９】
上記本発明のディスク再生装置によれば、第１発光器が点灯しているときはドアが閉じている状態であり、第２発光器が点灯しているときはドアが開いている状態であると判断することが出来る。
【００１０】
具体的構成において、第１発光器は、ディスク装着部に向かって拡大する透明導光部材（７）の基端部に発光ダイオード（５）を配備して構成されている。
該具体的構成においては、発光ダイオード（５）から発せられる光が透明導光部材（７）の基端部に入射した後、透明導光部材（７）内を拡がりながら進行し、透明導光部材（７）の拡大側の端面からディスクの表面に向かって出射される。この結果、ディスクの表面は、その全体が均等に照明されることになる。
【００１１】
他の具体的構成において、第２発光器は、ディスク装着部に装着されたディスクの外周縁に沿って伸びる円弧状の半透明発光部材（８）の背面側に発光ダイオード（６）を配備して構成されている。
該具体的構成においては、発光ダイオード（６）から発せられる光が半透明発光部材（８）の背面から内部へ入射し、これによって半透明発光部材（８）の全体が発光することになる。該半透明発光部材（８）は、ディスク装着部に装着されたディスクの外周縁に沿って伸びる円弧状を呈しているため、ディスク装着部にディスクを装着する際、該ディスクの外周縁を半透明発光部材（８）の円弧形状に沿わせることによって、ディスクを容易に位置決めすることが出来る。
【００１２】
更に具体的な構成において、第１発光器と第２発光器は互いに異なる発光色を有している。
該具体的構成によれば、何れの発光器が点灯しているか、即ちドアの開閉状態を照明の色によって判別することが出来る。
【００１３】
【発明の効果】
本発明に係るディスク再生装置によれば、第１発光器と第２発光器の内、何れの発光器が点灯しているかによってドアの開閉状態を容易に認識することが出来る。
【００１４】
【発明の実施の形態】
以下、本発明の実施の形態につき、図面に沿って具体的に説明する。
本発明に係るディスク再生装置は、図１に示す如く、キャビネット（１）の前面に左右一対のスピーカ（１１）（１１）を具えると共に、操作キー群（１２）やディスプレイ（１３）を具えている。
キャビネット（１）前面の中央部には、図２に示す如く、ディスクチャック機構（図示省略）を具えたターンテーブル（３）が配備されており、該ターンテーブル（３）にディスク（１０）をチャッキングした状態で、ターンテーブル（３）をディスクモータ（図示省略）によって回転駆動することにより、ディスク（１０）は高速回転して、該ディスク（１０）に記録されている信号の再生が行なわれる。
【００１５】
又、キャビネット（１）の前面には、ターンテーブル（３）にチャッキングされたディスク（１０）を覆うことが可能なドア（２）が、図１に示す閉じ位置と図２に示す開き位置の間で左右方向へスライド可能に配備され、ディスク装着部を開閉することが可能となっている。該ドア（２）には、閉じ状態でディスク装着部に装着されているディスク（１０）の表面を観察するための透明窓（２１）が設けられている。
更にキャビネット（１）には、図２に示す如くドア（２）が開き位置に達したときにオンとなるドア開スイッチ（４５）と、図１に示す如くドア（２）が閉じ位置に達したときにオンとなるドア閉スイッチ（４６）とが配備されている。
【００１６】
更に、ディスク装着部の左側には、ディスク装着部に装着されているディスク（１０）の表面に向けて、第１発光ダイオード（５）と透明導光部材（７）が配備され、これによって、ディスク（１０）の表面を照明するための第１の照明器が構成されている。又、ディスク装着部の右側には、ディスク装着部に装着されているディスク（１０）の外周縁に対向して、第２発光ダイオード（６）と半透明発光部材（８）が配備され、これによって、ディスク（１０）を装着する際の目印となる第２の照明器が構成されている。
尚、第１発光ダイオード（５）は青色に発光するものであり、第２発光ダイオード（６）はオレンジ色に発光するものである。
【００１７】
透明導光部材（７）は、図４に示す如く、ディスク（１０）側に向かって拡大する三角形の平板状を呈し、その基端部に第１発光ダイオード（５）が取り付けられている。
一方、半透明発光部材（８）は、図３に示す如く、ディスク装着部に装着されているディスク（１０）の外周縁に沿って伸びる円弧板状を呈し、その背面に第２発光ダイオード（６）が配備されている。
【００１８】
図５は、上記ディスク再生装置の電気的な構成の主要部を表わしており、種々の制御を司るマイクロコンピュータ（４）に、前述の操作キー群（１２）、ディスプレイ（１３）、ドア開スイッチ（４５）及びドア閉スイッチ（４６）が接続されている。
又、マイクロコンピュータ（４）にはラジオ受信回路（４１）及びディスク再生回路（４２）が接続されており、ラジオ受信回路（４１）の動作によってラジオ放送の受信及び音声再生が可能であると共に、ディスク再生回路（４２）によってディスクの音声再生が可能となっている。
更に又、マイクロコンピュータ（４）には、前述の第１発光ダイオード（５）及び第２発光ダイオード（６）が接続されている。
【００１９】
図６は、ドア開スイッチ（４５）とドア閉スイッチ（４６）のオン／オフに応じて第１発光ダイオード（５）及び第２発光ダイオード（６）を点灯制御するための具体的な回路構成を示している。
即ち、マイクロコンピュータ（４）の入力ポートにはドア開スイッチ（４５）及びドア閉スイッチ（４６）が接続されると共に、マイクロコンピュータ（４）の出力ポートには、第１トランジスタＴＲ１及び第２トランジスタＴＲ２を介して、第１発光ダイオード（５）及び第２発光ダイオード（６）が接続されている。マイクロコンピュータ（４）から第１トランジスタＴＲ１へハイの信号を出力すると、該トランジスタＴＲ１が導通し、電源＋Ｂから第１発光ダイオード（５）に電力が供給されて、第１発光ダイオード（５）が点灯することになる。又、マイクロコンピュータ（４）から第２トランジスタＴＲ２へハイの信号を出力すると、該トランジスタＴＲ２が導通し、電源＋Ｂから第２発光ダイオード（６）に電力が供給されて、第２発光ダイオード（６）が点灯することになる。
【００２０】
図８は、マイクロコンピュータ（４）がドア開スイッチ（４５）及びドア閉スイッチ（４６）のオン／オフに応じて第１発光ダイオード（５）及び第２発光ダイオード（６）を点灯制御する手続きを表わしている。
【００２１】
先ずステップＳ１にて、ドア開スイッチ（４５）がオンであるか否かを判断し、ここでノーと判断されたときはステップＳ２に移行して、ドア閉スイッチ（４６）がオンであるか否かを判断する。ステップＳ２にてノーと判断されたときはステップＳ１に戻ってドア開スイッチ（４５）のオン／オフの判断を繰り返す。
ドア（２）が閉じ位置まで移動すると、ドア閉スイッチ（４６）がオンとなり、ステップＳ２にてイエスと判断される。これによってステップＳ３に移行し、第１発光ダイオード（５）を点灯する。又、ドア（２）が開き位置まで移動すると、ドア開スイッチ（４５）がオンとなり、ステップＳ１にてイエスと判断される。これによってステップＳ４に移行し、第２発光ダイオード（６）を点灯する。
【００２２】
この様にして、図１の如くドア（２）が閉じられたときは第１発光ダイオード（５）が点灯し、第１発光ダイオード（５）から発せられた青色の光は、透明導光部材（７）内を拡がりつつ進行し、図中に破線の矢印で示す様に、拡大側の端面（７１）からディスク（１０）表面に向かって出射される。これによって、ディスク（１０）の表面が均一に照明されると共に、反対側に配置されている半透明発光部材（８）が照明されることになる。
この結果、ドア（２）の透明窓（２１）に、回転するディスク（１０）が浮かび上がって、ディスク（１０）の存在が明らかなものとなる。
【００２３】
これに対し、図２の如くドア（２）が開かれたときは第２発光ダイオード（６）が点灯し、第２発光ダイオード（６）から発せられたオレンジ色の光は、半透明発光部材（８）の背面から内部に入射した後、内部を拡散しつつ拡がって、ディスク（１０）の外周縁に対向する円弧面（８１）からディスク（１０）の外周縁に向かって出射される。これによって、図中に矢印で示す様に、半透明発光部材（８）自体がオレンジ色に発光すると共に、ディスク（１０）が装着されている場合には該ディスク（１０）の外周部が照明される。
従って、ターンテーブル（３）にディスク（１０）を装着する際には、半透明発光部材（８）の円弧形状にディスク（１０）の外周縁を沿わせることによって、ディスク（１０）を所定のディスク装着位置に正確に位置決めすることが出来る。
【００２４】
上述の如く、本発明のディスク再生装置においては、ドア（２）が閉じているときには第１発光ダイオード（５）が点灯し、ドア（２）が開いているときには第２発光ダイオード（６）が点灯するので、何れの発光ダイオードが点灯しているかによってドア（２）の開閉状態を容易に認識することが出来る。
従って、ドア（２）の位置を目で確認することによってドア（２）の開閉状態を判断していた従来のディスク再生装置に比べて、ドア（２）の開閉状態の判断は正確なものとなり、ドア（２）が閉じている状態でディスク（１０）を装着する等の誤操作が確実に防止される。
【００２５】
尚、本発明の各部構成は上記実施の形態に限らず、特許請求の範囲に記載の技術的範囲内で種々の変形が可能である。例えば、上記実施例では、第１発光ダイオード（５）及び第２発光ダイオード（６）を点灯制御するために図６に示す具体的な回路構成が採用されているが、図７に示す如く、マイクロコンピュータ（４）と両トランジスタＴＲ１、ＴＲ２の間にコンデンサＣ１、Ｃ２を接続することによって、両発光ダイオード（５）（６）の点灯及び消灯に一定の時間を与える構成も採用可能である。該構成においては、ドア（２）が閉じ位置から開き位置まで移動する過程で、第１発光ダイオード（５）は徐々に消灯するのに対し、第２発光ダイオード（６）は徐々に点灯する。又、ドア（２）が開き位置から閉じ位置まで移動する過程で、第１発光ダイオード（５）は徐々に点灯するのに対し、第２発光ダイオード（６）は徐々に消灯することになる。
【図面の簡単な説明】
【図１】本発明に係るディスク再生装置においてドアが閉じた状態を示す斜視図である。
【図２】該ディスク再生装置においてドアが開いた状態を示す斜視図である。
【図３】第２発光ダイオード及び半透明発光部材の配置を示す斜視図である。
【図４】第１発光ダイオード及び透明導光部材の配置を示す斜視図である。
【図５】該ディスク再生装置の主要回路構成を示すブロック図である。
【図６】２つの発光ダイオードを点灯させるための回路構成を示す図である。
【図７】２つの発光ダイオードを点灯させるための他の回路構成を示す図である。
【図８】本発明に係るディスク再生装置におけるダイオード点灯制御の手続きを示すフローチャートである。
【符号の説明】
（１）  キャビネット
（１０）  ディスク
（１１）  スピーカ
（１２）  操作キー群
（１３）  ディスプレイ
（２）  ドア
（３）  ターンテーブル
（４）  マイクロコンピュータ
（４５）  ドア開スイッチ
（４６）  ドア閉スイッチ
（５）  第１発光ダイオード
（６）  第２発光ダイオード
（７）  透明導光部材
（８）  半透明発光部材
【図１】
2004355769.tif 000003
【図２】
2004355769.tif 000004
【図３】
2004355769.tif 000005
【図４】
2004355769.tif 000006
【図５】
2004355769.tif 000007
【図６】
2004355769.tif 000008
【図７】
2004355769.tif 000009
【図８】
2004355769.tif 000010